(57)【要約】【課題】カメラ付き玄関子機に録画機能を具備させて、当該玄関子機を交換するだけで、録画ユニットをモニタ付親機側に増設する煩雑さを解消する。【解決手段】玄関子機１０１は、カメラ１０４と、撮像した画像の信号をデジタル信号に変換するＡ／Ｄ変換回路１０５と、変換された画像データをＪＰＥＧ圧縮回路１０６にて圧縮し、ＳＤＲＡＭ１０７にて画像信号処理を行なうと共に、処理された画像データを記憶するＦＲＯＭ１０８と、記憶された画像データを伸張するＪＰＥＧ伸張回路１０９と、伸張された画像データをアナログ信号の映像信号に変換するＤ／Ａ変換回路１１２と、映像信号を変調して親機に伝送する変調回路１１５とを有し、親機１０３は、伝送されてきた変調映像信号を復調する復調回路１２０と、復調回路で復調された映像信号を増幅する映像増幅回路１２１と、映像信号を表示するモニタ回路１２２とを有する。【選択図】図１
2004266478.tif 000002
【特許請求の範囲】
【請求項１】
カメラ付玄関子機（１０１）で来訪者を撮像した画像をモニタ付親機（１０３）で表示し、前記カメラ付玄関子機と前記モニタ付親機間で通話するテレビドアホン装置であって、
前記カメラ付玄関子機は、前記来訪者を撮像して電気信号に変換する撮像素子（１０４）と、撮像した画像の電気信号をアナログ信号からデジタル信号へ変換するＡ／Ｄ変換回路（１０５）と、前記Ａ／Ｄ変換回路で変換された画像データを画像圧縮回路（１０６）にて圧縮し、揮発性メモリ（１０７）にて画像信号処理を行なうともに、処理された画像データを記憶する不揮発性メモリ（１０８）と、記憶された画像データを伸張する画像伸張回路（１０９）と、伸張された画像データをアナログ信号の映像信号に変換するＤ／Ａ変換回路（１１２）と、前記映像信号を変調して前記モニタ付親機に伝送する変調回路（１１５）とを有し、
前記モニタ付親機は、伝送されてきた変調映像信号を復調する復調回路（１２０）と、前記復調回路で復調された映像信号を増幅する映像増幅回路（１２１）と、前記映像信号を表示する親機モニタ回路（１２２）とを有することを特徴とするテレビドアホン装置。
【請求項２】
前記モニタ付親機には、来訪者を録画する際に押下される録画スイッチ（１２５）と、録画保存された来訪者を閲覧する際に押下される再生スイッチ（１２４）と、来訪者を録画するとき前記録画スイッチ又は録画保存された来訪者を閲覧するとき前記再生スイッチが押下されたことを認識し、録画又は再生の制御信号を送出する制御回路（１２３）とを有することを特徴とする請求項１記載のテレビドアホン装置。
【請求項３】
前記カメラ付玄関子機は、前記画像伸張回路にて伸張された画像データを映像信号に変換する画像変換回路（１１６）と、前記映像信号の画像を表示する子機モニタ回路（１１７）とを有することを特徴とする請求項１記載のテレビドアホン装置。
【請求項４】
前記カメラ付玄関子機は、前記不揮発性メモリを増設するためのカードＩ／Ｆ（１１０）を有することを特徴とする請求項１記載のテレビドアホン装置。
【請求項５】
前記モニタ付親機は、前記カメラ付玄関子機内の前記不揮発性メモリに予め画像データとして蓄積されたメッセージを前記画像変換回路を介して前記子機モニタ回路に表示するためのメッセージ切換スイッチ（１２６）を有することを特徴とする請求項３記載のテレビドアホン装置。
【請求項６】
前記カメラ付玄関子機は、マイク（１１３）より受信された音声を録音する録音ＩＣ（１１４）を有し、
前記モニタ付親機は、前記カメラ付玄関子機で録音され伝送されてきた音声をスピーカアンプ（１２７）を介して鳴動させるスピーカ（１２８）を有することを特徴とする請求項１記載のテレビドアホン装置。
【発明の詳細な説明】
【０００１】
【発明の属する技術分野】
本発明は、テレビドアホン装置に係り、特にカメラ付玄関子機に録画機能を有するテレビドアホン装置に関する。
【０００２】
【従来の技術】
従来から、この種のテレビドアホン装置としては図２に示すように、戸外に設置されたカメラ付玄関子機３０１が伝送路３０２を介して住居内に設置されたモニタ付親機３０３に接続され、このモニタ付親機３０３に録画ユニット３０４が接続、固定された構成が知れている（例えば、特許文献１参照）。
【０００３】
このテレビドアホン装置において、その動作を説明する。
【０００４】
居住者が録画ユニット３０４の外出ボタン３４１を操作して「外出モード」に設定する。この外出モード設定中にカメラ付玄関子機３０１の呼出ボタン３１１で呼出操作を行うと、録画ユニット３０４が録画開始するので、カメラ付玄関子機３０１で撮像された画像データは伝送路３０２を介してモニタ付親機３０３に伝送され、録画ユニット３０４に蓄積・保存される。居住者は、録画ユニット３０４の再生スイッチ３４２で再生操作を行うと、録画ユニット３０４に蓄積・保存された画像を閲覧することができるので、来訪者の画像を確認することができる。
【０００５】
【特許文献１】特開２００１−９４９７７号公報（第３−４頁、第１図）
【発明が解決しようとする課題】
しかしながら、このような従来のテレビドアホン装置では、録画機能において、モニタ付き親機の横に、録画ユニットなる録画再生機能をもった機器を取り付ける必要があるので、取付けスペースを確保したり、録画ユニットに電源を供給したりするなどの難点があった。
【０００６】
本発明は、このような従来の難点を解決するためになされたもので、カメラ付き玄関子機に録画機能を具備させ、当該玄関子機を交換するだけで、録画ユニットをモニタ付親機側に増設する煩雑さを解消できるテレビドアホン装置を提供することを目的とする。
【０００７】
【課題を解決するための手段】
上記目的を達成する本発明のテレビドアホン装置は、カメラ付玄関子機で来訪者を撮像した画像をモニタ付親機で表示し、カメラ付玄関子機とモニタ付親機間で通話するものである。
【０００８】
このテレビドアホン装置のカメラ付玄関子機は、来訪者を撮像して電気信号に変換する撮像素子と、撮像した画像の電気信号をアナログ信号からデジタル信号へ変換するＡ／Ｄ変換回路と、Ａ／Ｄ変換回路で変換された画像データを画像圧縮回路にて圧縮し、揮発性メモリにて画像信号処理を行なうともに、処理された画像データを記憶する不揮発性メモリと、記憶された画像データを伸張する画像伸張回路と、伸張された画像データをアナログ信号の映像信号に変換するＤ／Ａ変換回路と、映像信号を変調してモニタ付親機に伝送する変調回路とを有し、モニタ付親機は、伝送されてきた変調映像信号を復調する復調回路と、復調回路で復調された映像信号を増幅する映像増幅回路と、映像信号を表示する親機モニタ回路とを有するものである。
【０００９】
このようなテレビドアホン装置によれば、録画ユニットを増設することなくカメラ付玄関子機側を交換するだけで、録画機能を持たせることができる。
【００１０】
また、本発明のテレビドアホン装置において、モニタ付親機には、来訪者を録画する際に押下される録画スイッチと、録画保存された来訪者を閲覧する際に押下される再生スイッチと、来訪者を録画するとき録画スイッチ又は録画保存された来訪者を閲覧するとき再生スイッチが押下されたことを認識し、録画又は再生の制御信号を送出する制御回路とを有するものである。これにより、カメラ付玄関子機側に設けられた録画機能をモニタ付親機側で操作することができる。
【００１１】
また、本発明のテレビドアホン装置において、カメラ付玄関子機は、画像伸張回路にて伸張された画像データを映像信号に変換する画像変換回路と、映像信号の画像を表示する子機モニタ回路とを有するものである。この場合において、モニタ付親機は、カメラ付玄関子機内の不揮発性メモリに予め画像データとして蓄積されたメッセージを画像変換回路を介して子機モニタ回路に表示するためのメッセージ切換スイッチを有するものである。これにより、来訪者に対して撮像していることをカメラ付玄関子機の子機モニタ回路で意識させることができることから防犯効果を高めることができ、また、インターホンで応答せずにモニタ付親機で来訪者にメッセージを伝えることができる。
【００１２】
また、本発明のテレビドアホン装置において、カメラ付玄関子機は、不揮発性メモリを増設するためのカードＩ／Ｆを有するものである。これにより、メモリ増設ができ保存する画像数を増やすことができる。
【００１３】
また、本発明のテレビドアホン装置において、カメラ付玄関子機は、マイクより受信された音声を録音する録音ＩＣを有し、モニタ付親機は、カメラ付玄関子機で録音され伝送されてきた音声をスピーカアンプを介して鳴動させるスピーカを有するものである。これにより、来訪者からのメッセージを後から確認することができる。
【００１４】
【発明の実態の形態】
以下、本発明のテレビドアホン装置における好ましい実施の形態例について図面を参照して詳述する。
【００１５】
本発明のテレビドアホン装置は図１（ａ）、（ｂ）に示すように、玄関などの戸外に設置され来訪者を撮像素子であるカメラ１０４で撮像するカメラ付玄関子機１０１と、カメラ付玄関子機１０１のカメラ１０４で撮像した来訪者の画像を表示する親機モニタ回路１２２を有するモニタ付親機１０３とから構成されている。
【００１６】
カメラ付玄関子機１０１は、来訪者を撮像して電気信号に変換するカメラ１０４と、カメラ１０４で撮像した画像の電気信号をアナログ信号からデジタル信号へ変換するＡ／Ｄ変換回路１０５と、Ａ／Ｄ変換回路１０５で変換された画像データを画像圧縮回路である例えばＪＰＥＧ（ｊｏｉｎｔ  ｐｈｏｔｏｇｒａｈｉｃ  ｃｏｄｉｎｇ  ｅｘｐｅｒｔｓ  ｇｒｏｕｐ）圧縮回路１０６にて圧縮し、揮発性メモリである例えばＳＤＲＡＭ（ｓｙｎｃｈｒｏｎｏｕｓ  ｄｙｎａｍｉｃ  ｒａｎｄｏｍ  ａｃｃｅｓｓ  ｍｅｍｏｒｙ）１０７にて画像信号処理を行なうともに、処理された画像データを記憶する不揮発性メモリである例えばＦＲＯＭ（ｆｌａｓｈ  ＲＯＭ）１０８と、ＦＲＯＭ１０８で記憶された画像データを伸張する画像伸張回路である例えばＪＰＥＧ伸張回路１０９と、ＪＰＥＧ伸張回路１０９で伸張された画像データをアナログ信号の映像信号に変換するＤ／Ａ変換回路１１２と、Ｄ／Ａ変換回路１１２から送出される映像信号を変調してモニタ付親機１０３に伝送する変調回路１１５とを有している。
【００１７】
また、カメラ付玄関子機１０１は、ＪＰＥＧ伸張回路１０９にて伸張された画像データを映像信号に変換する画像変換回路である例えばＲＧＢ（Ｒｅｄ  Ｇｒｅｅｎ  Ｂｌｕｅ）画像変換回路１１６と、ＲＧＢ画像変換回路１１６から送出される映像信号の画像を表示する子機モニタ回路１１７とを有している。これにより、来訪者に対して撮像していることをカメラ付玄関子機１０１の子機モニタ回路１１７で意識させることができるので、防犯効果を高めることができる。また、カメラ付玄関子機１０１は、ＦＲＯＭ１０８を増設するためのカードインターフェース１１０（以下、「カードＩ／Ｆ１１０」とする。）を有している。これにより、メモリ増設ができ保存する画像数を増やすことができる。また、カメラ付玄関子機１０１は、マイク１１３より受信された音声を録音する録音ＩＣ１１４を有している。さらに、カメラ付玄関子機１０１は、ＦＲＯＭ１０８、録音ＩＣ１１４を制御する制御回路１１１を有している。
【００１８】
このようなカメラ付玄関子機１０１を伝送路１０２を介して、モニタ付親機１０３に接続するための子機インターフェース１１８（以下、「子機Ｉ／Ｆ１１８」とする。）には、録音ＩＣ１１４を介してマイク１１３が接続され、さらに、変調回路１１５、制御回路１１１が接続されている。変調回路１１５にはＤ／Ａ変換回路１１２、制御回路１１１にはＦＲＯＭ１０８、カードＩ／Ｆ１１０、録音ＩＣ１１４がそれぞれ接続されている。ＦＲＯＭ１０８にはＳＤＲＡＭ１０７が接続され、ＳＤＲＡＭ１０７にはＪＰＥＧ圧縮回路１０６、ＪＰＥＧ伸張回路１０９が接続されている。ＪＰＥＧ圧縮回路１０６にはＡ／Ｄ変換回路１０５を介してカメラ１０４が接続され、ＪＰＥＧ伸張回路１０９には、Ｄ／Ａ変換回路１１２を介して変調回路１１５が、ＲＧＢ変換回路１１６を介して子機モニタ回路１１７がそれぞれ接続されている。
【００１９】
モニタ付親機１０３は、伝送されてきた変調映像信号を復調する復調回路１２０と、復調回路１２０で復調された映像信号を増幅する映像増幅回路１２１と、映像信号を表示する親機モニタ回路１２２とを有している。
【００２０】
また、モニタ付親機１０３には、来訪者を録画する際に押下される録画スイッチ１２５と、録画保存された来訪者を閲覧する際に押下される再生スイッチ１２４と、来訪者を録画するとき録画スイッチ１２５又は録画保存された来訪者を閲覧するとき再生スイッチ１２４が押下されたことを認識し、録画又は再生の制御信号を送出する制御回路１２３とを有している。これにより、カメラ付玄関子機側に設けられた録画機能をモニタ付親機側で操作することができる。また、モニタ付親機１０３は、カメラ付玄関子機１０１内のＦＲＯＭ１０８に予め画像データとして蓄積されたメッセージをＲＧＢ画像変換回路１１６を介して子機モニタ回路１１７に表示するためのメッセージ切換スイッチ１２６を有している。これにより、インターホンで応答せずにモニタ付親機１０３で来訪者にメッセージを伝えることができる。さらに、モニタ付親機１０３は、カメラ付玄関子機１０１で録音され伝送されてきた音声をスピーカアンプ１２７を介して鳴動させるスピーカ１２８を有している。
【００２１】
このようなモニタ付親機１０３を伝送路１０２を介して、カメラ付玄関子機１０１に接続するための親機インターフェース１１９（以下、「親機Ｉ／Ｆ１１９」とする。）には、復調回路１２０、制御回路１２３、スピーカアンプ１２７が接続されている。復調回路１２０には、映像信号増幅回路１２１を介して親機モニタ回路１２２が接続され、制御回路１２３には再生スイッチ１２４、録音スイッチ１２５、メッセージ切換スイッチ１２６が接続され、スピーカアンプ１２７にはスピーカ１２８が接続されている。
【００２２】
このように構成されたテレビドアホン装置の動作について説明する。
【００２３】
まず、居住者が来訪者の画像を録画しておくために、モニタ付親機１０３の録画スイッチ１２５を押下する。この録画スイッチ１２５が押下されると、制御回路１２３が録画スイッチ１２５を押下されたことを認識して録画制御信号ｄ１を送出する。録画制御信号ｄ１は、親機Ｉ／Ｆ１１９を介して伝送路１０２からカメラ付玄関子機１０１の子機Ｉ／Ｆ１１８に伝送される。
【００２４】
子機Ｉ／Ｆ１１８で受信された録画制御信号ｄ１は制御回路１１１に送出され、当該制御回路１１１にて認識されＦＲＯＭ１０８を制御して録画状態にする。
【００２５】
この状態で来訪者からカメラ付玄関子機１０１により呼び出しがあると、当該カメラ付玄関子機１０１のカメラ１０４が来訪者の撮像を開始するので、このカメラ１０４で撮像した画像の電気信号はＡ／Ｄ変換回路１０５でアナログ信号からデジタル信号へ変換され、ＪＰＥＧ圧縮回路１０６で圧縮されると共に、ＳＤＲＡＭ１０７で一旦画像を蓄積した後、ＦＲＯＭ１０８にこの来訪者の画像情報が蓄積保存される。
【００２６】
このカメラ付玄関子機１０１側で蓄積・保存された来訪者の画像を閲覧するためには、モニタ付親機１０３の再生スイッチ１２４を押下する。この再生スイッチ１２４が押下されると、制御回路１２３が再生スイッチ１２４を押下されたことを認識して再生制御信号ｄ２を送出する。再生制御信号ｄ２は、親機Ｉ／Ｆ１１９を介して伝送路１０２からカメラ付玄関子機１０１の子機Ｉ／Ｆ１１８に伝送される。
【００２７】
子機Ｉ／Ｆ１１８で受信された再生制御信号ｄ２は制御回路１１１に送出され、当該制御回路１１１にて認識されＦＲＯＭ１０８を制御する。ＦＲＯＭ１０８は、この再生制御信号ｄ２に基づき蓄積・保存された来訪者の画像情報を一旦ＳＤＲＡＭ１０７上に蓄積し、このＳＤＲＡＭ１０７上に蓄積された来訪者の画像情報はＪＰＥＧ伸張回路１０９にて所定の大きさに伸張された後、Ｄ／Ａ変換回路１１２を通じてアナログ信号の映像信号に変換された後、変調回路１１５を介して映像信号を変調し、ドアホンＩ／Ｆ１１８から伝送路１０２を介してモニタ付親機１０２の親機Ｉ／Ｆ１１９に伝送される。
【００２８】
親機Ｉ／Ｆ１１９で受信された映像信号は、復調回路１２０で復調され映像増幅回路１２１にて増幅された後、親機モニタ回路１２２に送出され来訪者の映像を表示する。
【００２９】
また、カメラ付玄関子機１０１のマイク１１３で集音された音声は、録音ＩＣ１１４にて蓄積されているので、モニタ付親機１０３の再生スイッチ１２４が押された時に、制御回路１１１にて録音ＩＣ１１４が制御され、当該録音ＩＣ１１４より蓄積されている音声信号が子機Ｉ／Ｆ１１８から伝送路１０２を介してモニタ付親機１０３の親機Ｉ／Ｆ１１９に伝送される。
【００３０】
親機Ｉ／Ｆ１１９で受信された音声信号は、スピーカアンプ１２７で増幅された後、スピーカ１２８に送られスピーカ１２８から鳴動される。したがって、来訪者からのメッセージを後から確認することができる。
【００３１】
なお、カードＩ／Ｆ１１０に外部メモリが増設された場合には、制御回路１１１にて認識された後、ＦＲＯＭ１０８と同様に来訪者の画像を蓄積・保存することができると共に、閲覧時に使用することができる。
【００３２】
また、メッセージ切換スイッチ１２６が押下された場合には、制御回路１２３がメッセージ切換スイッチ１２６を押下されたことを認識してメッセージ再生信号ｄ３を送出する。メッセージ再生信号ｄ３は、親機Ｉ／Ｆ１１９を介して伝送路１０２からカメラ付玄関子機１０１の子機Ｉ／Ｆ１１８に伝送される。
【００３３】
子機Ｉ／Ｆ１１８で受信されたメッセージ再生信号ｄ３は制御回路１１１に送出され、当該制御回路１１１にて認識されＦＲＯＭ１０８を制御する。ＦＲＯＭ１０８は画像データとして蓄積されたカメラ付玄関子機１０１のカメラ１０４で撮像した来訪者の画像や、予め画像データとして蓄積されたメッセージをＪＰＥＧ伸張回路１０９に送出し、ＪＰＥＧ伸張回路１０９はこの来訪者やメッセージの画像データを所定の大きさに伸張してＲＧＢ変換回路１１６に送出する。ＲＧＢ変換回路１１６は、この画像データを映像信号に変換して子機モニタ回路１１７に送出するので、子機モニタ回路１１７で来訪者の姿やメッセージを再生表示することができる。
【００３４】
なお、モニタ付親機１０３の録画スイッチ１２５を押下しない場合において、来訪者からカメラ付玄関子機１０１により呼び出しがあると、来訪者の撮像を開始したカメラ付玄関子機１０１のカメラ１０４からの撮像画像の電気信号は、Ａ／Ｄ変換回路１０５でアナログ信号からデジタル信号へ変換され、ＪＰＥＧ圧縮回路１０６で圧縮された後、ＳＤＲＡＭ１０７を介してＪＰＥＧ伸張回路１０９に送出される。このＪＰＥＧ伸張回路１０９で所定の大きさに伸張された画像データは、上述したテレビドアホン装置が録画状態でカメラ付玄関子機１０１により呼び出しした場合と同様の信号経路でモニタ付親機１０３に伝送されるので、モニタ付親機１０３のモニタ回路１２２にカメラ付玄関子機１０１のカメラ１０４で撮像中の来訪者の映像が表示される。
【００３５】
【発明の効果】
以上、説明したように、本発明のテレビドアホン装置によれば、カメラ付き玄関子機に録画機能を持たせたので、玄関子機側を交換するだけで録画ユニットをモニタ付親機側に増設する煩雑さを解消できる。
【図面の簡単な説明】
【図１】本発明のテレビドアホン装置による好ましい実施の形態例を示す図で、（ａ）は構成図、（ｂ）はブロック図。
【図２】従来のテレビドアホン装置を示す構成図。
【符号の説明】
１０１・・・・・カメラ付玄関子機
１０３・・・・・モニタ付親機
１０４・・・・・撮像素子
１０５・・・・・Ａ／Ｄ変換回路
１０６・・・・・ＪＰＥＧ圧縮回路（画像圧縮回路）
１０７・・・・・ＳＤＲＡＭ（揮発性メモリ）
１０８・・・・・ＦＲＯＭ（不揮発性メモリ）
１０９・・・・・ＪＰＥＧ伸張回路（画像伸張回路）
１１０・・・・・カードＩ／Ｆ
１１２・・・・・Ｄ／Ａ変換回路
１１３・・・・・マイク
１１４・・・・・録音ＩＣ
１１５・・・・・変調回路
１１６・・・・・画像変換回路
１１７・・・・・子機モニタ回路
１２０・・・・・復調回路
１２１・・・・・映像増幅回路
１２２・・・・・親機モニタ回路
１２３・・・・・制御回路
１２４・・・・・再生スイッチ
１２５・・・・・録画スイッチ
１２６・・・・・メッセージ切換スイッチ
１２７・・・・・スピーカアンプ
１２８・・・・・スピーカ
【図１】
2004266478.tif 000003
【図２】
2004266478.tif 000004